(57)【要約】【課題】作成した行動計画を携帯していなくても適宜行動計画に沿った情報を受け取ることができる情報配信システム及び情報配信方法を提供する。【解決手段】出発場所、出発日時、到着場所、到着日時及び連絡用メールアドレスを含む基本情報を取得する基本情報取得手段１３０と、立ち寄り場所及び立ち寄り場所への到達日時を含む立ち寄り情報を取得する立ち寄り情報取得手段１４０と、経路検索サービスからの経路情報を取得する経路情報取得手段４３０と、前記経路情報を組み合わせて行動計画を作成する行動計画作成手段４４０と、前記行動計画を基に情報配信のスケジュールを決定する配信スケジュール決定手段１７０と、前記配信スケジュール決定手段１７０が決定したスケジュールに従い前記連絡用メールアドレスに対して情報を送信するメール送信手段１８０と、を備えるようにした。【選択図】図２
2012038280.tif 000002
【特許請求の範囲】
【請求項１】
経路検索サービスを利用して作成された行動計画を基に情報を配信する情報配信システムであって、
出発場所、出発日時、到着場所、到着日時及び連絡用メールアドレスを含む基本情報を取得する基本情報取得手段と、
立ち寄り場所及び立ち寄り場所への到達日時を含む立ち寄り情報を取得する立ち寄り情報取得手段と、
前記出発場所、前記到着場所及び前記立ち寄り場所のうちの二点間について、前記経路検索サービスからの経路情報を取得する経路情報取得手段と、
前記経路情報を組み合わせて行動計画を作成する行動計画作成手段と、
前記行動計画を基に情報配信のスケジュールを決定する配信スケジュール決定手段と、
前記配信スケジュール決定手段が決定したスケジュールに従い前記連絡用メールアドレスに対して情報を送信するメール送信手段と、
を備えることを特徴とする、情報配信システム。
【請求項２】
広告主が入力した広告情報を取得し、スポット情報と関連付けて広告情報データベースに登録する広告情報登録手段を備え、
前記配信スケジュール決定手段は、特定のスポット情報に係るスポットが前記立ち寄り場所として選択されたときに、前記特定のスポット情報と関連付けられた広告情報を配信すると決定することを特徴とする、請求項１記載の情報配信システム。
【請求項３】
ウェブサーバーが実行する情報配信方法であって、
外部から入力されたスポット情報をスポット情報データベースに格納するステップと、
広告主により特定のスポット情報と関連付けて入力された広告情報を受け取って、広告情報データベースに登録するステップと、
ユーザー端末から行動計画情報を取得するステップと、
前記広告情報データベースを参照して、取得した行動計画情報に含まれるスポット情報に関連付けられた広告情報を抽出するステップと、
抽出した広告情報を電子メールで送信するための配信スケジュールを決定するステップと、
を有することを特徴とする、情報配信方法。
【発明の詳細な説明】
【技術分野】
【０００１】
この発明は、経路検索サービスを利用して作成された行動計画を基に情報を配信する情報配信システム及び情報配信方法に関するものである。
【背景技術】
【０００２】
従来、経路検索サービスとして、ユーザー端末から入力された出発地点及び目的地点を含む条件情報を取得した上で、出発地点から目的地点までの経路を検索し、その検索結果をユーザー端末に送信するものが知られている。たとえば、特許文献１には、ユーザーが利用する端末から出発地点及び目的地点を含む条件情報を取得し、取得した条件情報を基に出発地点から目的地点までのバスを利用した経路を検索し、更に、交通システムから道路の交通情報を取得し、取得した交通情報に基づいて検索された経路の所要時間を算出し、検索された経路及び算出された所要時間を含む乗換え案内情報を出力する乗換え案内システムが開示されている。
【先行技術文献】
【特許文献】
【０００３】
【特許文献１】特開２００７−１８８２４７号公報
【発明の概要】
【発明が解決しようとする課題】
【０００４】
しかし、上記した従来の経路検索サービスは、単に検索した２点間の経路をユーザー端末に送信するだけであった。このため、条件情報を入力して乗換え案内情報を入手したユーザーは、この乗換え案内情報をプリントアウトするなどして情報を携帯しなければ、乗換え案内情報を含む行動計画を持ち運ぶことができなかった。
【０００５】
そこで、本発明は、経路検索サービスを利用して行動計画を作成したユーザーがその作成した行動計画を携帯していなくても、適宜行動計画に沿った情報を受け取ることができる情報配信システム及び情報配信方法を提供することを課題とする。
【課題を解決するための手段】
【０００６】
本発明は、上記した課題を解決するためになされたものであり、以下を特徴とする。
【０００７】
（請求項１）
請求項１に記載の発明は、以下の点を特徴とする。
【０００８】
すなわち、請求項１に記載の情報配信システムは、経路検索サービスを利用して作成された行動計画を基に情報を配信する情報配信システムであって、出発場所、出発日時、到着場所、到着日時及び連絡用メールアドレスを含む基本情報を取得する基本情報取得手段と、立ち寄り場所及び立ち寄り場所への到達日時を含む立ち寄り情報を取得する立ち寄り情報取得手段と、前記出発場所、前記到着場所及び前記立ち寄り場所のうちの二点間について、前記経路検索サービスからの経路情報を取得する経路情報取得手段と、前記経路情報を組み合わせて行動計画を作成する行動計画作成手段と、前記行動計画を基に情報配信のスケジュールを決定する配信スケジュール決定手段と、前記配信スケジュール決定手段が決定したスケジュールに従い前記連絡用メールアドレスに対して情報を送信するメール送信手段と、を備えることを特徴とする。
【０００９】
（請求項２）
請求項２に記載の発明は、上記した請求項１記載の発明の特徴点に加え、以下の点を特徴とする。
【００１０】
すなわち、広告主が入力した広告情報を取得し、スポット情報と関連付けて広告情報データベースに登録する広告情報登録手段を備え、前記配信スケジュール決定手段は、特定のスポット情報に係るスポットが前記立ち寄り場所として選択されたときに、前記特定のスポット情報と関連付けられた広告情報を配信すると決定することを特徴とする。
【００１１】
（請求項３）
請求項３に記載の発明は、以下の点を特徴とする。
【００１２】
すなわち、請求項３に記載の情報配信方法は、ウェブサーバーが実行する情報配信方法であって、外部から入力されたスポット情報をスポット情報データベースに格納するステップと、広告主により特定のスポット情報と関連付けて入力された広告情報を受け取って、広告情報データベースに登録するステップと、ユーザー端末から行動計画情報を取得するステップと、前記広告情報データベースを参照して、取得した行動計画情報に含まれるスポット情報に関連付けられた広告情報を抽出するステップと、抽出した広告情報を電子メールで送信するための情報配信のスケジュールを決定するステップと、を有することを特徴とする。
【発明の効果】
【００１３】
本発明は上記の通りであり、ユーザー端末で入力された行動計画情報に基づいて電子メールで情報を送信するため、ユーザーは、作成した行動計画を携帯していなくても適宜行動計画に沿った情報を受け取ることができる。このため、ユーザーは頻繁に時間を気にせずとも、行動計画に沿った行動をとることができる。
【００１４】
また、電子メールで送信する情報として、広告主が入力した広告情報を使用することとすれば、位置情報と時間情報にマッチングさせた広告を配信することができ、広告効果を高めることができる。すなわち、広告主が広告したい対象（店、宿泊施設など）と距離的に近い位置を立ち寄り場所として指定したユーザーに対して、当該立ち寄り場所にユーザーが立ち寄るタイミングで広告配信をできるため、広告効率を上げることができる。
【図面の簡単な説明】
【００１５】
【図１】本実施形態に係るシステム構成の概略図である。
【図２】本実施形態に係るシステムのブロック図である。
【図３】本実施形態に係る処理の大まかな流れを示すフロー図である。
【図４】本実施形態に係る行動計画の作成処理を示すフロー図である。
【図５】本実施形態に係るユーザー基本情報の入力処理を示すフロー図である。
【図６】本実施形態に係る詳細情報の入力処理の前半を示すフロー図である。
【図７】本実施形態に係る詳細情報の入力処理の後半を示すフロー図である。
【図８】本実施形態に係る配信スケジュール決定処理を示すフロー図である。
【図９】本実施形態に係るメール送信処理を示すフロー図である。
【図１０】本実施形態に係るユーザー基本情報に含まれる項目を示す説明図である。
【図１１】本実施形態に係るスポット情報に含まれる項目を示す説明図である。
【図１２】本実施形態に係るユーザー行動計画情報に含まれる項目を示す説明図である。
【図１３】本実施形態に係る広告情報に含まれる項目を示す説明図である。
【図１４】本実施形態に係る配信スケジュール情報に含まれる項目を示す説明図である。
【図１５】本実施形態に係る立ち寄り場所選択画面を示す図（立ち寄り場所指定前）である。
【図１６】本実施形態に係る立ち寄り場所選択画面を示す図（立ち寄り場所指定中）である。
【発明を実施するための形態】
【００１６】
本発明の第１の実施形態について、図を参照しながら説明する。
【００１７】
本実施形態に係るシステムは、外部システム６００が提供する経路検索サービスを利用して作成された行動計画を基に情報を配信する情報配信システムを構成しており、図１に示すように、ユーザー端末４００と、ユーザー端末４００からの要求に応じてファイル等を送信するウェブサーバー１００と、ウェブサーバー１００に接続されるデータベース（スポット情報データベース５００、広告情報データベース５１０、行動計画情報データベース５２０、配信スケジュールデータベース５３０）と、これらのデータベースの情報を入力管理するための管理用端末２００と、データベースに広告情報を登録するための広告登録用端末３００と、ウェブサーバー１００が配信する情報を受け取るためのユーザー携帯端末４５０と、を含んで構成されている。
【００１８】
以下、各構成について説明する。
【００１９】
（ユーザー端末４００）
ユーザー端末４００は、ユーザーがどのようなスポットに行きたいかなどを入力して行動計画を作成するための端末であり、例えば、パソコンや携帯電話など、インターネットに接続可能な端末である。
【００２０】
このユーザー端末４００は、ウェブサーバー１００が送信したウェブページを実行する、あるいは、予めダウンロードしたソフトウェアを実行することにより、図２に示すように、地図・経路表示手段４１０と、情報入力手段４２０と、経路情報取得手段４３０と、行動計画作成手段４４０と、の各手段として機能するように構成されている。
【００２１】
地図・経路表示手段４１０は、外部システム６００（またはウェブサーバー１００）から取得した地図情報や経路情報を表示するためのものである。例えば、外部システム６００が提供する経路検索サービスを「Ｇｏｏｇｌｅ（登録商標）  Ｍａｐｓ  ＡＰＩ」技術を利用して実現する場合、この地図・経路表示手段４１０は、ウェブサーバー１００が送信したウェブページを受け取り、このウェブページに埋め込まれた「ＪａｖａＳｃｒｉｐｔ（登録商標）」などのスクリプトを実行することにより、「Ｇｏｏｇｌｅ（登録商標）  Ｍａｐｓ」からデータを入手し、その結果をユーザー端末４００のブラウザ上に表示する。また、後述する経路情報取得手段４３０が取得した経路情報についても、併せてユーザー端末４００のブラウザ上に表示する。
【００２２】
情報入力手段４２０は、ユーザー端末４００においてウェブサーバー１００へ送信するデータの入力を受け付けるものである。具体的には、例えば、出発場所、出発日時、到着場所、到着日時、立ち寄り場所などの情報を入力するためのものである。この情報入力手段４２０は、例えば、ユーザー端末４００のブラウザ上に表示されたＧＵＩとして提供され、このＧＵＩがキーボードやマウス、タッチパネルなどの入力装置によって操作されたときに、入力を処理するように構成される。なお、この情報入力手段４２０により入力されたデータはウェブサーバー１００に送信されて、処理される。
【００２３】
経路情報取得手段４３０は、経路検索サービス（例えば「Ｇｏｏｇｌｅ（登録商標）  Ｍａｐｓ  ＡＰＩ」）からの経路情報を取得するためのものであり、具体的には、ウェブサーバー１００から送信されたウェブページに埋め込まれたスクリプトを実行することにより、外部システム６００からデータを入手するものである。外部システム６００が２点間の経路検索のみをサポートするものである場合、ユーザーが入力した出発場所、到着場所及び立ち寄り場所のうちの二点間について経路検索を行う。すなわち、出発場所と最初の立ち寄り場所との間、Ｎ−１番目の立ち寄り場所とＮ番目の立ち寄り場所との間（立ち寄り場所が複数の場合。Ｎは｛２〜立ち寄り場所の数｝の整数）、最後の立ち寄り場所と到着場所との間、のそれぞれについて、外部システム６００に対して経路算出、所要時間の算出、料金の算出を要求するスクリプト実行を行う。そして、これらのレスポンスとしての経路情報（経路、所要時間、料金に関する情報）をスクリプト実行の回数分取得する。このように、経路情報取得手段４３０は、外部システム６００が提供する経路検索サービスを必要な回数（立ち寄り場所の数＋１回）呼び出すことにより、複数の経路情報を取得する。なお、このように経路情報取得手段４３０が取得した経路情報は、地図・経路表示手段４１０によってユーザー端末４００のブラウザ上に表示される。
【００２４】
行動計画作成手段４４０は、上記した経路情報取得手段４３０が取得した経路情報を組み合わせて行動計画を作成するためのものである。すなわち、上記したように、経路情報を複数取得した場合に、これらの所要時間や料金を組み合わせて、各立ち寄り場所への到達時間、各立ち寄り場所からの出発時間、最終的な到着場所への到着時間（または出発場所の出発時間）、合計の所要料金などを算出する。
【００２５】
この行動計画作成手段４４０が行動計画を作成する場合には、出発日時を優先するか、到着日時を優先するかを、ユーザーが選択することができる。
【００２６】
出発日時を優先した場合には、出発日時を基準として時間を加算していき、最終的な到着日時を算出する。例えば、ユーザーが、出発場所→立ち寄り場所→到着場所という計画を選択した場合、まず、経路情報取得手段４３０が、出発場所から立ち寄り場所までの経路情報を外部システム６００が提供する経路検索サービスから取得する。行動計画作成手段４４０は、この経路情報に立ち寄り場所の滞在時間を加え、立ち寄り場所の出発時間を算出する。更に、経路情報取得手段４３０が、立ち寄り場所の出発時間を指定して、立ち寄り場所から到着場所までの経路情報を経路検索サービスから取得する。これにより、最終的な到着場所への到着時間が取得できる。また、行動計画作成手段４４０は、経路情報取得手段４３０が取得した各経路情報に含まれる料金を合算して、合計の所要料金を算出する。
【００２７】
一方、到着日時を優先した場合には、到着日時を基準として逆算していき、到着日時に間に合うような出発日時を算出する。例えば、ユーザーが、出発場所→立ち寄り場所→到着場所という計画を選択した場合、まず、経路情報取得手段４３０が、到着日時を基に、立ち寄り場所から到着場所までの経路情報を外部システム６００が提供する経路検索サービスから取得する。行動計画作成手段４４０は、この経路情報に立ち寄り場所の滞在時間を差し引き、立ち寄り場所の到着時間を逆算する。更に、経路情報取得手段４３０が、立ち寄り場所の到着時間を基に、出発場所から立ち寄り場所までの経路情報を経路検索サービスから取得する。これにより、出発場所の出発時間が取得できる。また、行動計画作成手段４４０は、経路情報取得手段４３０が取得した各経路情報に含まれる料金を合算して、合計の所要料金を算出する。
【００２８】
なお、特に図示しないが、上記したような出発日時、到着日時、立ち寄り場所の到着時間や出発時間（又は滞在時間）を固定するインターフェースをユーザー端末４００のブラウザ上に表示するようにしてもよい。例えば、出発日時、到着日時、立ち寄り場所の到着時間や出発時間（又は滞在時間）のそれぞれを固定（優先）するための管理情報（フラグ）を設け、これらの時間を固定するか否かをブラウザ上に表示したチェックボックスなどを操作することによりユーザーが切り替えられるようにしてもよい。そして、行動計画作成手段４４０は、この時間を固定（優先）するか否かを示す管理情報（フラグ）を基に行動計画を作成するようにすればよい。このようにすれば、複数の時間設定について調整ができるため、綿密なスケジュールの作成が可能となる。例えば、出発日時と到着日時とのいずれをも固定にしてスケジュールを作成することもできる。また、任意の立ち寄り場所に滞在する期間を固定にしたい場合は、当該立ち寄り場所の到着時間と出発時間（又は滞在時間）とを固定にすれば、この到着時間から出発時間まで（又は滞在時間が経過するまで）の間は当該立ち寄り場所に滞在するスケジュールを作成することができる。
【００２９】
（ウェブサーバー１００）
ウェブサーバー１００は、ユーザー端末４００からの要求に応じてファイル等を送信するものであり、後述する複数のデータベースに予めＨＴＭＬ文書や画像などの情報を蓄積しておき、インターネットなどのネットワークを通じて、これらの情報をユーザー端末に送信するものである。
【００３０】
このウェブサーバー１００は、図２に示すように、スポット管理手段１１０と、広告情報登録手段１２０と、基本情報取得手段１３０と、立ち寄り情報取得手段１４０と、ウェブページ作成手段１５０と、行動計画管理手段１６０と、配信スケジュール決定手段１７０と、メール送信手段１８０と、の各手段として機能するように構成されている。
【００３１】
スポット管理手段１１０は、外部（例えば後述する管理用端末２００）から入力されたスポット情報（後述）をスポット情報データベース５００に格納するためのものである。
【００３２】
広告情報登録手段１２０は、広告情報（後述）を受け取って広告情報データベース５１０に登録するためのものである。なお、本実施形態においては、広告情報データベース５１０に登録される広告情報は、広告主が広告登録用端末３００を使用して特定のスポット情報と関連付けて入力するように形成されている。
【００３３】
基本情報取得手段１３０は、ユーザー端末４００から入力されたユーザー基本情報を取得するためのものであり、このように取得したデータは、例えば、後述するウェブページ作成手段１５０がユーザー端末４００に送信するウェブページを作成する際の入力として使用される。
【００３４】
なお、ユーザー基本情報は、図１０に示すような項目を含んで構成され、この情報がウェブサーバー１００のメモリにセッションファイルとして記憶される。図１０に示すように、このユーザー基本情報は、出発場所と出発日時とを含む出発場所情報と、到着場所と到着日時とを含む到着場所情報と、参加人数と各参加者の性別及び年齢と宿泊する場合の各部屋人数とを含参加者情報と、基本の交通手段（車か公共交通機関利用か）に関する情報を含む交通手段情報と、連絡用メールアドレス（例えばユーザー携帯端末４５０が携帯電話である場合、携帯電話のメールアドレス）を含む個人情報と、を含んでいる。
【００３５】
立ち寄り情報取得手段１４０は、ユーザー端末４００から入力された立ち寄り情報（後述）を取得するためのものであり、このように取得したデータは、例えば、後述するウェブページ作成手段１５０がユーザー端末４００に送信するウェブページを作成する際の入力として使用される。
【００３６】
ウェブページ作成手段１５０は、ユーザー端末４００から受け取ったリクエストに応えて、ユーザー端末４００に送信するウェブページを作成するためのものであり、例えば、上述した「Ｇｏｏｇｌｅ（登録商標）  Ｍａｐｓ  ＡＰＩ」を含むスクリプトを埋め込んだウェブページを作成する。このときのＡＰＩ呼び出しの引数は、基本情報取得手段１３０や立ち寄り情報取得手段１４０が受け取った情報を基に作成される。なお、このウェブページ作成手段１５０が作成したウェブページに含まれるスクリプトは、前述した地図・経路表示手段４１０や経路情報取得手段４３０が実行することで外部システム６００を呼び出すように形成されている。
【００３７】
行動計画管理手段１６０は、ユーザー端末４００から行動計画情報を取得し、すなわち、前述した行動計画作成手段４４０が作成した行動計画情報を取得して、行動計画情報データベース５２０に格納するためのものである。
【００３８】
配信スケジュール決定手段１７０は、行動計画情報データベース５２０に格納された行動計画を基に情報配信のスケジュールを決定するためのものである。この配信スケジュール決定手段１７０は、特定のスポット情報に係るスポットが立ち寄り場所としてユーザーに選択されたときに、この特定のスポット情報と関連付けられた広告情報を配信すると決定する。具体的には、ユーザーが決定した行動計画情報に含まれるスポット情報に関連付けられた広告情報を広告情報データベース５１０から抽出し、抽出した広告情報の内容をチェックして配信スケジュール情報（後述）を作成し、この配信スケジュール情報を配信スケジュールデータベース５３０に格納する。
【００３９】
メール送信手段１８０は、配信スケジュール決定手段１７０が決定したスケジュール（すなわち、配信スケジュールデータベース５３０に格納された配信スケジュール情報）に従い、ユーザーが指定した連絡用メールアドレス（ユーザー携帯端末４５０）に対して情報を送信するためのものである。
【００４０】
（スポット情報データベース５００）
スポット情報データベース５００は、スポット情報を格納するためのものである。
【００４１】
このスポット情報データベース５００に格納されるスポット情報は、図１１に示すような項目を含んで構成され、これらの項目を含むデータを１ファイルとしてそれぞれにＩＤが割り当てられて管理されている。図１１に示すように、このスポット情報は、スポット基本情報とスポット詳細情報とを含んでいる。
【００４２】
スポット基本情報は、ウェブサーバー１００が自動的に割り当てるスポットＩＤと、スポット名と、緯度・経度で表現される位置情報と、表示用住所と、入場料（大人、子供）と、休館日と、営業時間と、スポットの特徴・種類を分類したタグ（複数可）と、を含んでいる。
【００４３】
また、スポット詳細情報は、天候による制限と、バリアフリー対応の有無と、託児施設の有無と、駐車場の有無と、年齢制限と、ペットの可不可と、送迎の有無（送迎が有る場合には、その送迎可能地点）と、平日バス通過時刻と次の行き先スポットＩＤと、休日バス通過時刻と次の行き先スポットＩＤと、その他表示用付加情報と、を含んでいる。
【００４４】
（広告情報データベース５１０）
広告情報データベース５１０は、広告情報を格納するためのものである。
【００４５】
この広告情報データベース５１０に格納される広告情報は、図１３に示すような項目を含んで構成され、これらの項目を含むデータを１ファイルとしてそれぞれにＩＤが割り当てられて管理されている。
【００４６】
この広告情報は、ウェブサーバー１００が自動的に割り当てる広告ＩＤと、広告主名（あるいは広告主ＩＤ）と、ユーザー携帯端末４５０に配信する広告内容と、配信期間（開始日時、終了日時）と、配信総数の上限と、対象スポットＩＤと、配信の開始時間（ユーザーがスポットに到着する何分前に配信を開始するか）と、１ユーザーあたりの配信数（ユーザーの１行動計画についての配信数）と、を含んでいる。
【００４７】
なお、この広告情報は、配信対象などの配信条件を予め登録できるようにしてもよい。すなわち、配信スケジュール決定手段１７０が配信スケジュール情報を作成するにあたり、広告情報に登録された配信条件を参照し、配信スケジュールを決定することとしてもよい。具体的には、広告を行いたい年齢層や性別などを広告情報に登録できるようにするとともに、ユーザー基本情報として年齢層や性別などを入力させるようにすれば、これらの情報を配信スケジュール決定手段１７０が参照して配信スケジュールを決定することができるので、広告を行いたいターゲット層にピンポイントで広告配信を行うことができ、広告効率を上げることができる。
【００４８】
（行動計画情報データベース５２０）
行動計画情報データベース５２０は、ユーザー行動計画情報を格納するためのものである。
【００４９】
この行動計画情報データベース５２０に格納されるユーザー行動計画情報は、図１２に示すような項目を含んで構成され、これらの項目を含むデータを１ファイルとしてそれぞれにＩＤが割り当てられて管理されている。図１２に示すように、このユーザー行動計画情報は、出発地点情報と立ち寄り地点情報と到着地点情報とを含んでいる。
【００５０】
出発地点情報は、経度・緯度で表現される位置情報と、出発日時と、を含んでいる。
【００５１】
また、立ち寄り地点情報は、１つのユーザー行動計画情報に複数設定することができるデータであり、経度・緯度で表現される位置情報と、到達日時と、立ち寄り地点までの交通手段（車、公共交通機関、徒歩、自転車など）と、出発日時と、を含んでいる。
【００５２】
また、到着地点情報は、経度・緯度で表現される位置情報と、到着日時と、到着地点までの交通手段（車、公共交通機関、徒歩、自転車など）と、を含んでいる。
【００５３】
（配信スケジュールデータベース５３０）
配信スケジュールデータベース５３０は、配信スケジュール情報を格納するためのものである。
【００５４】
この配信スケジュールデータベース５３０に格納される配信スケジュール情報は、図１４に示すような項目を含んで構成され、これらの項目を含むデータを１ファイルとしてそれぞれにＩＤが割り当てられて管理されている。
【００５５】
この配信スケジュール情報は、配信日時と、広告ＩＤと、宛先メールアドレス（またはユーザーＩＤ）と、を含んでいる。
【００５６】
（管理用端末２００）
管理用端末２００は、スポット情報データベース５００に登録するスポット情報を入力するためのものであり、例えば、ウェブサーバー１００の管理者が使用しているパソコンなどである。
【００５７】
この管理用端末２００は、管理者にスポット情報を入力させるためのスポット情報入力手段２１０を備えており、具体的には、管理用端末２００のブラウザにおいて入力することでウェブサーバー１００に対してスポット情報に関するデータを送信可能に形成されている。
【００５８】
（広告登録用端末３００）
広告登録用端末３００は、広告情報データベース５１０に登録する広告情報を入力するためのものであり、例えば、広告主が使用しているパソコンなどである。
【００５９】
この広告登録用端末３００は、広告主に広告情報を入力させるための広告情報入力手段３１０を備えており、具体的には、広告登録用端末３００のブラウザにおいて入力することでウェブサーバー１００に対して広告情報に関するデータを送信可能に形成されている。
【００６０】
（ユーザー携帯端末４５０）
ユーザー携帯端末４５０は、前記メール送信手段が配信する情報を受け取るための端末であり、例えば携帯電話やＰＤＡなどの持ち運び可能な通信端末である。このユーザー携帯端末４５０は前記基本情報取得手段１３０が取得したユーザー基本情報に含まれる連絡用メールアドレス宛に送信された電子メールを受け取るためのソフトウェアを備えている。
【００６１】
（処理の概要）
次に、本システムの処理の概要について、図３を参照して説明する。
【００６２】
なお、以下に説明する処理の流れは必ずしも不可逆的なものではなく、各手順が前後してもよく、並行して実行されてもよい。
【００６３】
図３に示すように、まず、管理者によるスポット情報の入力が行われる。すなわち、上述したように、管理者が管理用端末２００のスポット情報入力手段２１０を使用して、ウェブサーバー１００に対してスポット情報に関するデータを送信する。この送信されたデータをウェブサーバー１００のスポット管理手段１１０が取得し、取得したスポット情報をスポット情報データベース５００に登録する。
【００６４】
次に、広告主による広告情報の入力が行われる。すなわち、上述したように、広告登録用端末３００の広告情報入力手段３１０を使用して、ウェブサーバー１００に対して広告情報に関するデータを送信する。このとき、すでに入力されているスポット情報のＩＤを広告情報の属性値として指定することで（図１３に示す広告情報の「対象スポットＩＤ」参照）、広告情報とスポット情報とを関連付けることができる。これにより、このスポット情報に係る場所を行き先に指定したユーザーを広告配信の対象として位置付けることができる。そして、広告登録用端末３００から送信されたデータをウェブサーバー１００の広告情報登録手段１２０が取得し、取得した広告情報を広告情報データベース５１０に登録する。
【００６５】
本実施形態においては、広告情報の入力の際に、指定したスポット情報に係るスポットそのものを行き先に指定したユーザーのみならず、当該スポットの周辺の場所を行き先に指定したユーザーも広告配信の対象として位置付けることができる。すなわち、広告情報登録時に「対象スポット周辺対応の可否」（図１３参照）を「可」に設定した上で「許容範囲（距離または時間）」（図１３参照）を設定することで、「許容範囲」内の場所を行き先に指定したユーザーも広告配信の対象として位置付けることができる。
【００６６】
次に、ユーザーによる行動計画の作成が行われる。この処理の詳細は後述する。
【００６７】
そして、ユーザーが作成した行動計画を基に、システムによるメールの送信が行われる。この処理の詳細も後述する。
【００６８】
（ユーザーによる行動計画の作成）
上記したユーザーによる行動計画の作成について、図４〜７を参照しつつ、説明する。
【００６９】
図４は、ユーザーによる行動計画の作成の概要を示すフローチャートである。
【００７０】
この図４のステップ１００が示すように、ユーザーが行動計画を作成する際には、まずユーザー端末４００を利用してユーザー基本情報を入力する。
【００７１】
次に、ステップ１１０が示すように、ユーザー端末４００を利用して詳細情報を入力する。
【００７２】
その後、ステップ１２０が示すように、上記したユーザーからの入力に従い、ウェブサーバー１００が配信スケジュールを決定する。
【００７３】
以下、上記した各処理の詳細について説明する。
【００７４】
まず、図５を参照しつつ、ユーザー基本情報の入力処理について説明する。
【００７５】
図５のステップ２００において、ユーザーがユーザー端末４００の情報入力手段４２０を使用してユーザー基本情報を入力し、ウェブサーバーに送信する。具体的には、ユーザー端末４００から特定のＵＲＬにアクセスすることで、ユーザー端末４００のブラウザ上にウェブサーバー１００が提供するウェブページを表示する。ユーザーがこのウェブページ上の入力フォームを使用してユーザー基本情報を入力し、かつ、その入力を確定すると、入力したユーザー基本情報がウェブサーバー１００へと送信される。そして、ステップ２１０に進む。
【００７６】
ステップ２１０では、ユーザー端末４００から送信されたユーザー基本情報をウェブサーバー１００の基本情報取得手段１３０が取得して、ウェブサーバー１００のメモリに一時保存する。そして、ステップ２２０に進む。
【００７７】
ステップ２２０では、ウェブサーバー１００のウェブページ作成手段１５０が、ステップ２１０で取得したユーザー基本情報を基にウェブページを作成し、ユーザー端末４００に送信する。具体的には、外部システム６００を呼び出して地図データを入手して表示するスクリプトをウェブページに埋め込むことで、ユーザー基本情報に含まれる出発地点と到着地点を含む地図を表示可能なウェブページを作成し、このウェブページをユーザー端末４００に送信する。そして、処理が終了する。
【００７８】
次に、図６及び７を参照しつつ、詳細情報の入力処理について説明する。
【００７９】
まず、ステップ３００において、ユーザー端末４００は、ステップ２２０で送信されたウェブページを受け取り、ウェブページに埋め込まれたスクリプトを実行する。すなわち、ユーザー端末４００の経路情報取得手段４３０が、ウェブページに埋め込まれたスクリプト記述に従って外部システム６００にアクセスし、地図データを入手する。そして、ステップ３１０に進む。
【００８０】
ステップ３１０では、ステップ３００で経路情報取得手段４３０が取得した地図データを、地図・経路表示手段４１０がユーザー端末４００のブラウザ上に表示する。そして、ステップ３２０に進む。
【００８１】
ステップ３２０では、ユーザー端末４００によって、ステップ３１０でブラウザ上に表示された表示エリアがウェブサーバー１００に通知される。そして、ステップ３３０に進む。
【００８２】
ステップ３３０では、ウェブサーバー１００が、ユーザー端末４００のブラウザ上に表示されている表示エリアを取得し、この表示エリアに存在するスポット情報を、スポット情報データベース５００を参照して抽出する。そして、ステップ３４０に進む。
【００８３】
ステップ３４０では、ウェブサーバー１００のウェブページ作成手段１５０が、上記したスポット情報を地図上に表示することを指示したウェブページを作成する。すなわち、スポット情報を地図上に表示するスクリプトを埋め込んだウェブページを作成する。そして、このウェブページをユーザー端末１００に送信し、ステップ３５０に進む。
【００８４】
ステップ３５０では、ユーザー端末４００の地図・経路表示手段４１０が、ステップ３４０でウェブサーバー１００が作成したウェブページを受け取り、このウェブページを表示する。このとき、スポット情報を地図上に表示するスクリプトが実行されるため、スポット情報を含む地図が表示される。そして、ステップ３６０に進む。
【００８５】
ステップ３６０では、ユーザー操作によるイベント待ち状態に変移し、ユーザー端末４００において絞り込み条件などの操作を待ち受ける。例えば、ステップ３５０で表示されたスポット情報が多過ぎるなどの理由によりユーザーが絞り込み条件を指定した場合や、地図の画面拡大率あるいは表示エリアを変更した場合などは、その情報がウェブサーバー１００に送信されて、ステップ３４０へと戻る。ステップ３４０へと戻った場合、ウェブサーバー１００が新しい条件で再度ウェブページを作成し、ユーザー端末４０に送信する。一方、絞り込み条件の指定や表示エリアの変更がなかった場合には、ステップ３７０に進む。
【００８６】
ステップ３７０では、ユーザー端末４００の情報入力手段４２０を使用して、スポット情報を表示した地図からユーザーが立ち寄り場所を選択し、その立ち寄り場所に関連する情報を入力する。
【００８７】
ここで、図１５は、ユーザー端末４００のブラウザ上に表示される行動計画表示画面７００であり、ユーザーが立ち寄り場所を選択している様子を示すものである。
【００８８】
この図１５が示すように、行動計画表示画面７００は、検索条件指定部７０１と、所要時間・金額表示部７１０と、地図表示部７２０と、立ち寄り場所のリスト７３０と、の４つのエリアに区画されている。
【００８９】
検索条件指定部７０１は、前述したスポット情報の絞り込み条件を指定するためのエリアであり、条件指定後に検索ボタン７０２を押下することで地図表示部７２０に表示されるスポット情報を絞り込むことができる。
【００９０】
所要時間・金額表示部７１０は、ユーザー基本情報で入力された出発日時及び到着日時を表示するとともに、後述する行動計画作成手段４４０が算出した出発日時及び到着日時や、経路情報取得手段４３０によって外部システム６００から取得した経路情報に含まれる料金を合計した所要料金も表示する。
【００９１】
地図表示部７２０は、外部システム６００から取得した地図データを表示するためのものであり、拡大移動ボタン７２３の押下やマウスのドラッグ操作などにより、任意の場所の地図を表示できるものである。なお、地図の表示エリアが変更された場合、必要に応じて外部システム６００から再度地図データを取得する。この地図表示部７２０には、図１５に示すように、ステップ３４０でウェブサーバー１００が指定したスポット情報が表示されている。スポット情報に係る地点は、通常は四角で地図上にマークされており（図１５のスポット７２２参照）、これらのマークをクリックすると、詳細表示ウィンドウ７２４がポップアップ表示される。具体的には、図１５が示すように、スポット７２１をクリックすると、このスポット７２１に対応する詳細表示ウィンドウ７２４がポップアップ表示される。このスポットの詳細表示ウィンドウ７２４において登録ボタン７２５が押下されると、当該スポットが立ち寄り場所として、立ち寄り場所のリスト７３０に登録される。なお、この詳細表示ウィンドウ７２４において、当該スポットへの滞在時間や、何番目に立ち寄るかの立ち寄り番号を入力した上で、登録ボタン７２５を押下すれば、滞在時間や立ち寄り番号を指定して立ち寄り場所を登録することもできる。
【００９２】
なお、立ち寄り場所として登録できるスポットとしては、スポット情報データベース５００に登録されているスポットに限らず、その他の任意の場所を立ち寄り場所として登録できるようにしてもよい。すなわち、地図上の任意の地点をクリックすることで詳細表示ウィンドウ７２４が表示されるようにし、スポット情報データベース５００に登録されていない地点を立ち寄り場所として登録できるようにしてもよい。
【００９３】
こうして登録された立ち寄り情報はウェブサーバー１００に通知され、ステップ３８０に進む。
【００９４】
ステップ３８０では、ウェブサーバー１００の立ち寄り情報取得手段１４０が立ち寄り情報（すべての立ち寄り場所の位置、滞在時間、立ち寄り番号）を受け取る。そして、ウェブページ作成手段１５０が、この立ち寄り情報に係る立ち寄り場所を経由した場合の経路を検索するために外部システム６００のＡＰＩを呼び出すスクリプトを埋め込んだウェブページを作成する。そして、このウェブページをユーザー端末４００に送信し、ステップ３９０に進む。
【００９５】
ステップ３９０では、ユーザー端末４００の地図・経路表示手段４１０が、ステップ３８０でウェブサーバー１００が作成したウェブページを受け取り、このウェブページを表示する。このとき、経路情報取得手段４３０によって経路検索のスクリプトが実行され、外部システム６００の経路検索用ＡＰＩが呼び出される。これによって、外部システム６００により経路検索が行われる。そして、ステップ４００に進む。
【００９６】
ステップ４００では、ユーザー端末４００の行動計画作成手段４４０によって、経路情報が組み合わせられて行動計画が作成される。
【００９７】
このとき、出発日時を優先する設定になっている場合には、出発日時を基準として外部システム６００から取得した情報を基に、各場所間の移動時間を求め、この移動時間をユーザー基本情報で入力された出発日時に足しこんでいくことで最終的な到着場所への到着日時を算出する。このとき、各立ち寄り場所の滞在時間が指定されている場合には、各立ち寄り場所の到達日時にこの滞在時間を足し込んだ日時が各立ち寄り場所の出発日時となる。なお、こうして計算された到着場所への到着日時が、ユーザーがユーザー基本情報で入力した到着日時を越えている場合、予定する到着日時をオーバーしたことを画面表示などで警告する。
【００９８】
また、到着日時を優先する設定になっている場合には、到着日時を基準として外部システム６００から取得した情報を基に、各場所間の移動時間を求め、この移動時間をユーザー基本情報で入力された到着日時から差し引いていくことで出発場所の出発日時を逆算する。このとき、各立ち寄り場所の滞在時間が指定されている場合には、各立ち寄り場所の出発日時からこの滞在時間を差し引いた日時が各立ち寄り場所の到着日時となる。なお、こうして計算された出発場所の出発日時が、ユーザーがユーザー基本情報で入力した出発日時よりも早い場合、予定よりも早い出発日時となってしまったことを画面表示などで警告する。
【００９９】
また、ステップ３９０の経路検索の結果、その経路を示す情報が地図・経路表示手段４１０によって地図に表示される。ここで、図１６は、４つの立ち寄り場所を登録した場合の行動計画表示画面７００を示す図である。この図１６が示すように、地図表示部７２０には、登録されている立ち寄り場所７２７が立ち寄り順を示す数字とともに表示され、出発場所から立ち寄り場所を経由して到着場所へのルートを示す経路表示７２６も表示される。そして、登録されている立ち寄り場所の表示７２７をクリックすると、立ち寄り場所の詳細表示ウィンドウ７２８が表示され、立ち寄り場所の情報が参照できるとともに、立ち寄り場所の情報を変更することもできる。また、この立ち寄り場所の詳細表示ウィンドウ７２８の削除ボタン７２９を押下すれば、立ち寄り場所を削除することもできる。そして、ステップ４１０に進む。
【０１００】
ステップ４１０では、ユーザー操作によるイベント待ち状態に変移し、ユーザーが行動計画を最終決定したかどうかをチェックする。具体的には、ユーザー端末４００のブラウザ上で、図１６に示す計画決定ボタン７１１が押されたかどうかをチェックする。ユーザーが計画決定ボタン７１１を押下せず、計画を立て直す場合には、ステップ３２０に戻り、ユーザーによって立ち寄り場所の選択などが再度行われる。計画決定ボタン７１１を押下された場合には、ステップ４００で行動計画作成手段４４０が作成した行動計画が採用されたことがウェブサーバー１００に通知され、処理が終了する。
【０１０１】
次に、図８を参照しつつ、配信スケジュール決定処理について説明する。
【０１０２】
まず、ステップ５００では、ウェブサーバー１００の行動計画管理手段１６０が、ユーザーの行動計画を取得して行動計画情報データベース５２０に保存する。そして、ステップ５１０に進む。
【０１０３】
ステップ５１０では、ウェブサーバー１００の配信スケジュール決定手段１７０が、広告情報データベース５１０を参照して、行動計画に含まれる立ち寄り場所に関連付けられた広告情報を抽出する。具体的には、立ち寄り場所として指定されたスポットのＩＤと、広告情報に含まれる対象スポットＩＤ（図１３参照）と、を比較し、ＩＤが一致する広告情報を抽出する。
【０１０４】
このとき、広告情報の属性として「対象スポット周辺対応の可否」で「可」が選択されている場合、許容範囲に従って広告情報が抽出される。
【０１０５】
具体的には、許容範囲として距離が指定されている場合には、立ち寄り場所の位置と、広告情報に含まれる対象スポットＩＤで特定されるスポットの位置と、の距離を外部の経路計測を使って割り出し、この距離が許容範囲内であれば、当該広告情報を抽出する。なお、処理速度を短縮させたい場合は、広告情報に含まれる対象スポットＩＤで特定されるスポットの上下左右に許容範囲の距離を加えた地図上の座標を予め許容範囲として設定しておき、立ち寄り場所の位置がこの許容範囲に含まれるかどうかをチェックすることで、広告情報を抽出することとしてもよい。
【０１０６】
許容範囲として時間が指定されている場合には、立ち寄り場所の位置と、広告情報に含まれる対象スポットＩＤで特定されるスポットの位置と、の移動時間を外部の経路計測を使って割り出し、この移動時間が許容範囲内であれば、当該広告情報を抽出する。なお、処理速度を短縮させたい場合は、広告情報に含まれる対象スポットＩＤで特定されるスポットと立ち寄り場所との直線距離を算出し、この直線距離に予め定めた設定速度（例えば２０ｋｍ／ｈ)を乗じて移動時間を算出してもよい。
【０１０７】
そして、広告情報を抽出したら、ステップ５２０に進む。
【０１０８】
ステップ５２０では、配信スケジュール決定手段１７０が、抽出された広告情報の有効性をチェックする。すなわち、立ち寄り場所への到達日時が広告情報の配信期間内にあるかどうかをチェックし、配信期間内にある広告情報のみを抽出する。そして、ステップ５３０に進む。
【０１０９】
ステップ５３０では、配信スケジュール決定手段１７０が、広告情報の配信開始時間を参照して配信スケジュールを計算する。すなわち、広告の配信開始時間（到着の何分前に配信を開始するか）を基に、立ち寄り場所への到達時刻から逆算し、広告の配信日時を設定する。そして、ステップ５４０に進む。
【０１１０】
ステップ５４０では、配信スケジュール決定手段１７０が、ステップ５３０で計算された配信スケジュールに広告情報と宛先メールアドレスとを関連付け、これを配信スケジュール情報として配信スケジュールデータベース５３０に登録する。このとき、宛先メールアドレスとしては、ユーザー基本情報で設定した連絡用メールアドレスが使用される。そして、処理が終了する。
【０１１１】
（メールの送信処理）
次に、配信スケジュールデータベース５３０に登録された配信スケジュール情報に従い、広告情報をメールで送信する処理について、図９を参照しつつ説明する。
【０１１２】
なお、このメールの送信処理はウェブサーバー１００が行ってもよいが、ウェブサーバー１００とは別にメール送信用のサーバーを設けてもよい。
【０１１３】
まず、ステップ６００が示すように、所定時間（例えば１分）経過するまで待機した後、ステップ６１０に進む。
【０１１４】
ステップ６１０では、配信スケジュールデータベース５３０を参照して、未配信の配信スケジュール情報のうちで配信日時になったあるいは配信日時が過ぎたものを抽出する。そして、ステップ６２０に進む。
【０１１５】
ステップ６２０では、ステップ６１０のチェックに該当する配信スケジュール情報があるかどうかを判定する。なければ、ステップ６００に戻り、最初から処理を行う。該当する配信スケジュール情報があれば、ステップ６３０に進む。
【０１１６】
ステップ６３０では、ステップ６２０で抽出された配信スケジュール情報に含まれる宛先メールアドレスに対して情報を配信する。配信する情報は、当該配信スケジュール情報に含まれる広告ＩＤに紐つけられた広告情報の広告内容を使用する。
【０１１７】
このとき、ステップ６２０で抽出された配信スケジュール情報の宛先メールアドレスの多くが重複していることにより、同じ宛先メールアドレスに多量のメールが送られてしまう場合は、これを避けるために宛先メールアドレスごとにメッセージをまとめて配信することとしてもよい。また、個別に送信するか、まとめて送信するか、をユーザー基本情報設定時にユーザーに選択させることとしてもよい。そして、メール送信が完了したら、ステップ６００に戻り、最初から処理を行う。
【０１１８】
以上のように、ウェブサーバー１００（もしくはメール送信用のサーバー）は、一定時間ごとに配信スケジュールデータベース５３０を参照し、広告情報の広告内容を配信する。
【０１１９】
（まとめ）
以上説明したように、本実施形態によれば、ユーザー端末４００で入力された行動計画情報に基づいて電子メールで情報を送信するため、ユーザーは、作成した行動計画を携帯していなくても適宜行動計画に沿った情報を受け取ることができる。このため、ユーザーは頻繁に時間を気にせずとも、行動計画に沿った行動をとることができる。
【０１２０】
また、電子メールで送信する情報として、広告主が入力した広告情報を使用することとすれば、位置情報と時間情報にマッチングさせた広告を配信することができ、広告効果を高めることができる。すなわち、広告主が広告したい対象（店、宿泊施設など）と距離的に近い位置を立ち寄り場所として指定したユーザーに対して、当該立ち寄り場所にユーザーが立ち寄るタイミングで広告配信をできるため、広告効率を上げることができる。
【０１２１】
なお、上記した実施形態では、ユーザー端末４００の経路情報取得手段４３０がスクリプトを実行することで経路情報を取得することとしたが、これに限らない。すなわち、ウェブサーバー１００と外部システム６００とが直接やり取りして、経路情報・所要時間・所要金額情報を受け取ることとしてもよく、このようにして取得した情報を基にウェブページを作成し、そのウェブページをユーザー端末４００に送信することとしてもよい。具体的には、外部システム６００のＡＰＩが、ｈｔｔｐリクエストを受け取り、そのレスポンスとしてｘｍｌ形式のファイルを返す仕様の場合、当該ＡＰＩをウェブサーバー１００が直接呼び出すこととしてもよい。更には、ユーザー端末４００が携帯端末などのスクリプトが実行できない端末の場合、ウェブサーバー１００を介してスクリプトを実行し、経路検索サービスから経路情報を取得することとしてもよい。
【０１２２】
なお、上記した実施形態に含まれる各手段に加え、ユーザーが行動計画を決定した後、実際の行動中に到達日時の変更があった場合（行動計画情報データベース５２０に登録されている予定よりも早く、あるいは遅く立ち寄り場所に到達した場合）に、対象となる立ち寄り場所以降の予定を変更する行動計画変更手段を設けてもよい。例えば、ユーザー端末４００やユーザー携帯端末４５０から到達日時の変更がどの立ち寄り場所で発生したかを指定できるようにし、これをウェブサーバー１００が受信し、外部システム６００を使用して行動計画の再計算をできるようにしてもよい。また、外部システム６００を使用せず、ユーザー端末４００やユーザー携帯端末４５０で直接行動計画を変更できるようにしてもよい。そして、このように変更された行動計画を基に、配信スケジュール決定手段１７０が情報配信のスケジュールを再決定し、以降の情報配信スケジュールを書き換えられるようにしてもよい。
【０１２３】
また、上記した行動計画変更手段は、実際の行動中に到達日時の変更があった場合に限らず、任意のタイミングで行動計画の変更をできるようにしてもよい。すなわち、行動計画変更手段は、ユーザーが行動計画を決定した後、出発地点、立寄り場所、到着地点の位置情報や時間情報等を変更・追加・削除したり、行動計画のすべてを中止（削除）したりできるようにしてもよい。そして、このように変更された行動計画を基に、配信スケジュール決定手段１７０が情報配信のスケジュールを再決定し、以降の情報配信スケジュールを書き換えるようにしてもよい。
【０１２４】
また、上記した実施形態に含まれる各手段に加え、メールの配信を中止するメール配信中止手段を設けてもよい。すなわち、ユーザーが行動計画を決定した後、例えばユーザー端末４００やユーザー携帯端末４５０のブラウザ上でメール配信の中止を希望する立寄り場所を複数選択可能とし、このメール配信中止に係る立寄り場所の情報をウェブサーバー１００に設けたメール配信中止手段が受け付けるようにしてもよい。そして、このメール配信中止手段が、配信スケジュールデータベース５３０を参照し、指定された立ち寄り場所に係る配信スケジュール情報を削除することで、メール配信を中止できるようにしてもよい。なお、このメール配信中止手段は、ウェブサーバー１００以外の専用サーバーに設けるようにしてもよい。
【符号の説明】
【０１２５】
１００  ウェブサーバー
１１０  スポット管理手段
１２０  広告情報登録手段
１３０  基本情報取得手段
１４０  立ち寄り情報取得手段
１５０  ウェブページ作成手段
１６０  行動計画管理手段
１７０  配信スケジュール決定手段
１８０  メール送信手段
２００  管理用端末
２１０  スポット情報入力手段
３００  広告登録用端末
３１０  広告情報入力手段
４００  ユーザー端末
４１０  地図・経路表示手段
４２０  情報入力手段
４３０  経路情報取得手段
４４０  行動計画作成手段
４５０  ユーザー携帯端末
４６０  メール受信手段
５００  スポット情報データベース
５１０  広告情報データベース
５２０  行動計画情報データベース
５３０  配信スケジュールデータベース
６００  外部システム
７００  行動計画表示画面
７０１  検索条件指定部
７０２  検索ボタン
７１０  所要時間・金額表示部
７１１  計画決定ボタン
７２０  地図表示部
７２１  クリックされたスポットの表示
７２２  未選択スポットの表示
７２３  拡大移動ボタン
７２４  スポットの詳細表示ウィンドウ
７２５  登録ボタン
７２６  経路表示
７２７  立ち寄り場所の表示
７２８  立ち寄り場所の詳細表示ウィンドウ
７２９  削除ボタン
７３０  立ち寄り場所のリスト
【図１】
2012038280.tif 000003
【図２】
2012038280.tif 000004
【図３】
2012038280.tif 000005
【図４】
2012038280.tif 000006
【図５】
2012038280.tif 000007
【図６】
2012038280.tif 000008
【図７】
2012038280.tif 000009
【図８】
2012038280.tif 000010
【図９】
2012038280.tif 000011
【図１０】
2012038280.tif 000012
【図１１】
2012038280.tif 000013
【図１２】
2012038280.tif 000014
【図１３】
2012038280.tif 000015
【図１４】
2012038280.tif 000016
【図１５】
2012038280.tif 000017
【図１６】
2012038280.tif 000018